(57)【要約】【課題】荷物の包装などに用いることができる段ボール材であって、取扱い時に破損することがない状態でＩＣタグを有した段ボール材を提供すること。【解決手段】中芯２とライナー３の間に形成される空間にＩＣタグ用インレット１０を収納した構成とする。段ボール箱やその他の包装形態で用いた時に、ＩＣタグ用インレットが外力を受けて破損するようなことがない。したがって、ＩＣタグを利用した物品管理システムでの使用に際して信頼性の高いものとなる。【選択図】図１
2006297770.tif 000002
【特許請求の範囲】
【請求項１】
段成形した中芯とこれに貼り合わせたライナーとの間に形成される空間内にＩＣタグ用インレットを収納したことを特徴とする段ボール材。
【発明の詳細な説明】
【技術分野】
【０００１】
本発明は、板紙の範疇に属する包装材料であって、荷物用の箱やその他の多くの包装用途に用いられる段ボール材に関するものである。
【背景技術】
【０００２】
近年、外部処理装置との通信を非接触で行うＩＣタグが一般に広く知られるようになってきた。このＩＣタグは、情報を発信するために電池を内蔵しているアクティブ型と、電池を内蔵せずに受けた電波で電力を得て発信するパッシブ型に分類される。このうちパッシブ型のＩＣタグは、リーダライタが電波を使って電力を送り込み、その電力でＩＣが起動するもので、その電波には指示や要求も載っており、リーダライタから電力と命令を同時に受け取るようになっている。そして、ＩＣタグはその指示に対する答えを搬送波と呼ばれる電波に載せて送り出す。電波の到達距離は最大で数メートルと短いが、小型かつ軽量で、アクティブ型に比べると非常に安価に製造できる。そのため、今後はパッシブ型のＩＣタグが多くの商品などに搭載されることが期待されている。
【０００３】
このパッシブ型のＩＣタグは、ＩＣチップとアンテナを備えていさえすればどんな形状であってもよい。例えば、円盤型、円筒型、カード型、箱型などがあるが、いずれも長い方向で数センチほどの大きさである。また、研究開発が進み、価格についても安価になることが見えてきたことから、様々な商品にＩＣタグをつけて物流過程、保管時等における情報管理を可能にすることが提案されている。例えば、荷物や衣類、本等の物品にＩＣタグを付けることにより、商品等の在庫管理や物流管理を行うようにした物品管理システムが種々提案されている。
【特許文献１】特開２００３−２１２３４８号公報
【発明の開示】
【発明が解決しようとする課題】
【０００４】
上記の特許文献１で挙げたような物品管理システムでは、荷物等の物品にＩＣタグを貼り付けておき、このＩＣタグに書き込まれた識別情報を利用して物品の管理を行うようになっている。ところが、荷物が段ボール箱である場合、その表面にＩＣタグを貼り付けると、ＩＣタグは平らな段ボール箱の外側表面に位置するため、流通過程における取扱い時に色々なものと衝突して破損する恐れがある。
【０００５】
一方、上記したパッシブ型のＩＣタグは、小型化・低価格化に向けての研究開発が行われており、最近では、極小のＩＣチップに外部アンテナを装着し、テープ状にした印刷アンテナインレット型のＩＣタグ用インレットが供給されている。そして、このＩＣタグ用インレットを用いてタグ化することで、各種用途に応じた形態のＩＣタグを製造することができるようになっており、ＩＣタグの普及を図る上においてこの小さくて安価なＩＣタグ用インレットを利用することが望ましいという背景がある。
【０００６】
本発明は、上記のような問題点や事情に鑑みてなされたものであり、その目的とするところは、荷物の包装などに用いることができる段ボール材であって、取扱い時に破損することがない状態でＩＣタグを有した段ボール材を提供することにある。
【課題を解決するための手段】
【０００７】
上記の目的を達成するため、本発明の段ボール材は、段成形した中芯とこれに貼り合わせたライナーとの間に形成される空間内にＩＣタグ用インレットを収納したことを特徴としている。
【発明の効果】
【０００８】
本発明の段ボール材は、中芯とライナーの間に形成される空間にＩＣタグ用インレットを収納した構成としたので、段ボール箱やその他の包装形態で用いた時に、ＩＣタグ用インレットが外力を受けて破損するようなことがない。したがって、ＩＣタグを利用した物品管理システムでの使用に際して信頼性の高いものとなる。
【発明を実施するための最良の形態】
【０００９】
以下、具体例を挙げて本発明の実施の形態について説明する。
【００１０】
図１は本発明に係る段ボール材の一例をその一部分を破断して示す斜視図である。
【００１１】
図１の段ボール材１は、段成形した中芯２を２枚の上下ライナー３，４の間にサンドイッチ状に貼り合わせたもので、中芯２と上側のライナー３との間に形成される空間にＩＣタグ用インレット１０が収納されている。この段ボール材１は、図２に示すように、中芯２の片面に下側のライナー４を貼り合わせた後、中芯２の窪みの中にＩＣタグ用インレット１０を入れ、それから上側のライナー３を貼り合わせることで製造される。この製造工程は既存のコルゲーターに、ＩＣタグ用インレット１０の投入装置を付加することで行うことができる。別の製造方法としては、中芯２に上下のライナー３，４を貼り合わせてなる普通の段ボール材に対し、端面の隙間からＩＣタグ用インレット１０を差し込むようにして入れる方法がある。
【００１２】
ＩＣタグ用インレット１０は、段ボール材１の所定位置に一つずつ入れるようにしてもよいし、ランダムな位置に入れるようにしてもよく、どちらにするかは段ボール材１の用途によって決めればよい。
【００１３】
ＩＣタグ用インレット１０としては、図３に示すようなものが使用される。このＩＣタグ用インレット１０は、０．０１〜０．５ｍｍ角の小さなＩＣチップ１１（例えばミューチップ）を用い、これに長さ５０〜６０ｍｍの外部アンテナ１２を装着して幅が約１ｍｍのテープ状としたものであり、ＩＣチップ１１はＰＥＴフィルム等の絶縁性のベースフィルム１３上に載置接合され、外部アンテナ１２はそのベースフィルム１３上に印刷により形成される。またＩＣチップ１１は表面及び側面が樹脂封止された状態で外部アンテナ１２に接続される。外部アンテナ１２の略中央部には、その一端が外部アンテナ１２の外縁に達するＬ字状のスリット１４が形成されており、このスリット１４の途中に樹脂封止されたＩＣチップ１１が実装されている。また、ベースフィルム１３にはＩＣチップ１１や外部アンテナ１２を保護するためのカバーフィルムが必要に応じてラミネートされる。この外部アンテナ１２付きのＩＣチップ１１は、アンテナ内蔵型のＩＣチップを用いたものよりは通信距離が長く、広い範囲で用いることができるものであり、本発明で使用できるものとして色々のものがある。このようなＩＣタグ用インレット１０は、印刷技術によりアンテナを作製することと、超音波接合技術により安価なフィルム素材を利用することで、大量生産でき、安価に供給することができる。
【００１４】
図４は本発明の段ボール材を用いた段ボール箱であり、この段ボール箱２０は側壁にＩＣタグ用インレット１０を内蔵したものになっている。この段ボール箱２０のように特定の位置にＩＣタグ用インレット１０を内蔵させるためには、面付けを考慮して段ボール材１の所定の位置にＩＣタグ用インレット１０を収納させるようにする。この段ボール箱２０は、ＩＣタグ用インレット１０が外に露出していないので、流通過程における取扱い時に外力によって破損するようなことがない。なお、多くのＩＣタグ用インレット１０をランダムに収納した段ボール材１を使用すると、複数箇所にＩＣタグ用インレット１０が内蔵された段ボール箱を形成することができる。
【００１５】
図５は本発明の段ボール材を利用した無線綴じ本であり、この無線綴じ本３０は段ボール製の付録ケース３１を綴じ込んでおり、その付録ケース３１にＩＣタグ用インレット１０が内蔵されている。この付録ケース３１は、打ち抜いた段ボール材１の裏面に用紙３２を貼り合わせて付録の収納部を形成したものであり、図示のものでは背側に隣接する位置で天地方向に内蔵されている。この無線綴じ本３０は、搬送時や取扱い時にＩＣタグ用インレット１０が外力によって破損するようなことがない。
【００１６】
以上、具体例を挙げて本発明を説明したが、本発明による段ボール材は、上記の例に何ら限定されるものではなく、本発明の趣旨を逸脱しない範囲において種々の変更が可能であることは当然のことである。
【００１７】
例えば、上記の説明では両面段ボールを例に挙げたが、本発明の段ボール材は、片面段ボール、複面段ボール、複々面段ボールなど、いずれのタイプの段ボールにも適用することができる。
【図面の簡単な説明】
【００１８】
【図１】本発明に係る段ボール材の一例を示す一部破断斜視図である。
【図２】図１に示す段ボール材の製造手順の説明図である。
【図３】本発明で用いるＩＣタグ用インレットの一例を示す平面図である。
【図４】本発明の段ボール材を利用した段ボール箱を示す斜視図である。
【図５】本発明の段ボール材を利用した無線綴じ本を示す斜視図である。
【符号の説明】
【００１９】
１  段ボール材
２  中芯
３，４ライナー
１０  ＩＣタグ用インレット
１１  ＩＣチップ
１２  外部アンテナ
１３  ベースフィルム
１４  スリット
Ａ  段ボール箱
Ｂ  無線綴じ本
【図１】
2006297770.tif 000003
【図２】
2006297770.tif 000004
【図３】
2006297770.tif 000005
【図４】
2006297770.tif 000006
【図５】
2006297770.tif 000007